(57)【要約】【課題】本考案は作業効率が良く色素定着の良い手彫り針と、安全で衛生的に手彫りハンドルへの着脱方法を提供することを目的とする。【解決手段】プラスチック形成されたロッドに針先をほぼ斜４５度に揃えた針束を埋め込み、プラスチックロッド針固定部の形状を針先とほぼ平行にする。またプラスチックロッドには雌ねじ、手彫りハンドルには雄ねじを備え連結することによってこの課題を解決することができる。【選択図】図１
0003128488.tif 000002
【実用新案登録請求の範囲】
【請求項１】
複数本の針を横１列に並べ針先を斜めにほぼ４５度に揃えたことを特徴とする手彫り用入れ墨針。
【請求項２】
前記入れ墨用針をプラスチック形成されたロッドに埋め込み固定させたことを特徴とする手彫り用入れ墨針。
【請求項３】
前記プラスチックロッド針固定部の形状は請求項１記載のほぼ斜め４５度に揃えた針先とほぼ平行となっていることを特徴とする手彫り用入れ墨針。
【請求項４】
前記プラスチックロッド固定針の後部は雌ねじとなっており手彫りハンドルの雄ねじとの連結固定できることを特徴とする手彫り用入れ墨針。
【請求項５】
請求項３記載プラスチックロッドに数に制限がなく針先がほぼ斜め４５度に揃えられた並列状又は丸状、アーチ状、千鳥状に埋め込んだ針束をハンドルに確実に固定でき安全に作業できることを特徴とする手彫り用入れ墨針。
【考案の詳細な説明】
【技術分野】
【０００１】  本考案は、手彫りで入れ墨を行うときの針とハンドルに関するものである。
【背景技術】
【０００２】  従来入れ墨は木の棒に一本の針を糸によって固定して、手作業で色素を皮下に挿入することによって着色をしてきた。近年の手彫りは金属ハンドルに一本または半田で固定した複数の針を挟み込むことによって皮下に色素を挿入し着色をしている。
【考案の開示】
【考案が解決しようとする課題】
【０００３】  しかし手彫りハンドルに装着する手彫り針の数には限度がる。したがって作業範囲が狭く、作業時間がかかり、作業効率が悪い。また針先が水平に揃っていることで皮膚に斜めに針を挿入できないために、色素定着が悪いのが現状である。【０００４】  従来入れ墨針を手彫りハンドルに装着する際、手で針を持って手彫りハンドルに装着しているが衛生的でなく、固定が不安定でぐらつきを生じたり、脱落したり、危険である。そのため安全で衛生的かつ簡単な着脱方法が望まれている。
【課題を解決するための手段】
【０００５】  そこで本考案は、プラスチック形成されたロッドに針を埋め込み針先を斜めに揃え、かつプラスチックロッド針固定部の形状も針先と同じ斜め平行にした手彫り針を考案した。またプラスチック形成されたロッドには雌ねじ、手彫りハンドルは雄ねじを備えた、針付プラスチックロッドと手彫りハンドルを考案した。
【考案の効果】
【０００６】  プラスチック形成されたロッドに針を埋め込むことによって、針数に制限がなく直列、並列、丸型、アーチ型、千鳥型など針の形状も自在に作ることができる。針先を斜めにすることで皮下に色素が挿入されやすくなり色素定着が良くなる。又針先とプラスチック固定部分を平行にすることによってすべての針がほぼ同じ長さになることで一本一本の針の弾力性も均等になる。【０００７】針とプラスチック形成ロッドを一体型にすることによって直接針の金属部分を持たずに的確に手彫りハンドルに装着できるため安全で衛生的かつ簡単に着脱ができる。
【考案を実施するための最良の形態】
【０００８】本考案に係わる手彫り針は１、１ａ，１ｂ，１ｃ，の素材はステンレス製で針の太さは図３のような直列で０．２５ミリ、図４、図５、図６のように針数が多くなる場合は、０．２０ミリが望ましい。針先は斜めほぼ４５度でプラスチックロッド針固定部とほぼ平行とし、針と針固定プラスチックロッド部分２は使い捨てである。図１ハンドル部分は再度使用するため消毒がしやすく腐食等がない軽量なプラスチック素材が望ましい。また、滑ると危険なのでハンドルの指がかかる部分は滑り止めに凹凸をつけると良い。プラスチックロッド部分は雌ねじ３、ハンドル部分は雄ねじ４で３回転くらいで装着できるくらいが望ましい。
【図面の簡単な説明】
【０００９】
【図１】本考案の手彫りハンドルと入れ墨針の側面図である。
【図２】本考案の手彫りハンドルに入れ墨針を装着したときの側面図である。
【図３】本考案の手彫りハンドルに入れ墨針を装着したときの正面図と背面図である。
【図４】本考案のプラスチックロッドに並列に針を埋め込んだときの正面図と側面図である。
【図５】本考案のプラスチックロッドに丸状に針を埋め込んだときの正面図と側面図である。
【図６】本考案のプラスチックロッドにアーチ状に針を埋め込んだときの正面図と側面図である。
【図７】本考案のプラスチックロッドに千鳥状に針を埋め込んだときの正面図と側面図である。
【符号の説明】
【００１０】１    １ａ，１ｂ，１ｃ，１ｄ針
２    プラスチックロッド
３    雌ねじ
４    雄ねじ
５    ハンドル
【図１】
0003128488.tif 000003
【図２】
0003128488.tif 000004
【図３】
0003128488.tif 000005
【図４】
0003128488.tif 000006
【図５】
0003128488.tif 000007
【図６】
0003128488.tif 000008
【図７】
0003128488.tif 000009
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
複数本の入れ墨用針の針先を斜めにほぼ４５度に揃えた、
ことを特徴とする手彫り用入れ墨針。
【請求項２】
前記入れ墨用針をプラスチック形成されたロッドに埋め込み固定させた、
ことを特徴とする請求項１に記載の手彫り用入れ墨針。
【請求項３】
前記ロッドの埋め込み固定部の形状は、前記ほぼ斜め４５度に揃えた針先とほぼ平行となっている、
ことを特徴とする請求項２に記載の手彫り用入れ墨針。
【請求項４】
前記ロッドには、雌ねじが形成され、
前記雌ねじに、手彫りハンドルの雄ねじが連結固定可能である、
ことを特徴とする請求項２または請求項３に記載の手彫り用入れ墨針。
【請求項５】
複数本の入れ墨用針は、横１列、複数並列、丸状、アーチ状、千鳥状のいずれから選択して埋め込んだ針束である、
ことを特徴とする請求項１乃至請求項４のいずれか１項に記載の手彫り用入れ墨針。
【手続補正２】
【補正対象書類名】明細書
【補正対象項目名】全文
【補正方法】変更
【補正の内容】
【考案の詳細な説明】
【技術分野】
【０００１】
この考案は、手彫りで入れ墨を行う手彫り用入れ墨針に関するものである。
【背景技術】
【０００２】
従来入れ墨は木の棒に一本の針を糸によって固定して、手作業で色素を皮下に挿入することによって着色をしてきた。近年の手彫りは金属ハンドルに一本または半田で固定した複数の針を挟み込むことによって皮下に色素を挿入し着色をしている。      
【考案の開示】
【考案が解決しようとする課題】
【０００３】
しかし手彫りハンドルに装着する手彫り針の数には限度がある。したがって作業範囲が狭く、作業時間がかかり、作業効率が悪い。また針先が水平に揃っていることで皮膚に斜めに針を挿入できないために、色素定着が悪いのが現状である。
【０００４】
また、従来入れ墨針を手彫りハンドルに装着する際、手で針を持って手彫りハンドルに装着しているが衛生的でなく、固定が不安定でぐらつきを生じたり、脱落したり、危険である。そのため安全で衛生的かつ簡単な着脱方法が望まれている。
【課題を解決するための手段】
【０００５】
前記課題を解決し、かつ目的を達成するために、この考案は、以下のように構成されている。
【０００６】
請求項１に記載の考案は、
複数本の入れ墨用針の針先を斜めにほぼ４５度に揃えた、
ことを特徴とする手彫り用入れ墨針である。
【０００７】
請求項２に記載の考案は、
前記入れ墨用針をプラスチック形成されたロッドに埋め込み固定させた、
ことを特徴とする請求項１に記載の手彫り用入れ墨針である。
【０００８】
請求項３に記載の考案は、
前記ロッドの埋め込み固定部の形状は、前記ほぼ斜め４５度に揃えた針先とほぼ平行となっている、
ことを特徴とする請求項２に記載の手彫り用入れ墨針である。
【０００９】
請求項４に記載の考案は、
前記ロッドには、雌ねじが形成され、
前記雌ねじに、手彫りハンドルの雄ねじが連結固定可能である、
ことを特徴とする請求項２または請求項３に記載の手彫り用入れ墨針である。
【００１０】
請求項５に記載の考案は、
複数本の入れ墨用針は、横１列、複数並列、丸状、アーチ状、千鳥状のいずれから選択して埋め込んだ針束である、
ことを特徴とする請求項１乃至請求項４のいずれか１項に記載の手彫り用入れ墨針である。
【考案の効果】
【００１１】
前記構成により、この考案は、以下のような効果を有する。
【００１２】
請求項１に記載の考案では、複数本の入れ墨用針の針先を斜めにほぼ４５度に揃えたことで、針先を斜めにすることで皮下に色素が挿入されやすくなり色素定着が良くなる。
【００１３】
請求項２に記載の考案では、入れ墨用針をプラスチック形成されたロッドに埋め込み固定させたことで、一本一本の入れ墨用針の弾力性も均等になる。
【００１４】
請求項３に記載の考案では、ロッドの埋め込み固定部の形状は、ほぼ斜め４５度に揃えた針先とほぼ平行となっていることで、すべての入れ墨用針がほぼ同じ長さになることで一本一本の入れ墨用針の弾力性も均等になる。
請求項４に記載の考案では、ロッドの雌ねじに、手彫りハンドルの雄ねじを連結固定することで、入れ墨用針とロッドを一体型にすることによって直接入れ墨用針の金属部分を持たずに的確に手彫りハンドルに装着できるため安全で衛生的かつ簡単に着脱ができる。
【００１５】
請求項５に記載の考案では、複数本の入れ墨用針が、横１列、複数並列、丸状、アーチ状、千鳥状のいずれから選択して埋め込んだ針束であり、ロッドに針を埋め込むことによって、針の形状も自在になる。
【考案を実施するための最良の形態】
【００１６】
以下、この考案の入れ墨用針の実施の形態について説明するが、この考案の実施の形態は、考案の最も好ましい形態を示すものであり、この考案はこれに限定されない。
【００１７】
図１はこの考案の手彫りハンドルと入れ墨針の側面図、図２はこの考案の手彫りハンドルに入れ墨針を装着したときの側面図、図３はこの考案の手彫りハンドルに入れ墨針を装着したときの正面と背面を示す図、図４はこの考案のロッドに並列に入れ墨用針を埋め込んだときの正面と側面を示す図、図５はこの考案のロッドに丸状に入れ墨用針を埋め込んだときの正面と側面を示す図、図６はこの考案のロッドにアーチ状に入れ墨用針を埋め込んだときの正面と側面を示す図、図７はこの考案のロッドに千鳥状に入れ墨用針を埋め込んだときの正面と側面を示す図である。
【００１８】
まず、図１乃至図３の実施の形態について説明する。この実施の形態の手彫り用入れ墨針は、複数本の入れ墨用針１と、ロッド２と、手彫りハンドル３とからなる。複数本の入れ墨用針１は、プラスチック形成されたロッド２に埋め込み固定させた構成であり、この複数本の入れ墨用針１の針先は、斜めにほぼ４５度に揃えている。複数本の入れ墨用針１は、横１列にして埋め込んだ針束である。
【００１９】
ロッド２の埋め込み固定部２aの形状は、ほぼ斜め４５度に揃えた複数本の入れ墨用針１の針先１aとほぼ平行となっている。ロッド２には、雌ねじ３が形成され、雌ねじ３に、手彫りハンドル５の雄ねじ４が連結固定可能である。
【００２０】
このように、複数本の入れ墨用針１の針先１aを斜めにほぼ４５度に揃えたことで、針先1aを斜めにすることで皮下に色素が挿入されやすくなり色素定着が良くなる。また、入れ墨用針１をロッド２に埋め込み固定させたことで、一本一本の入れ墨用針１の弾力性も均等になる。ロッド２の埋め込み固定部2aの形状は、ほぼ斜め４５度に揃えた針先１aとほぼ平行となっていることで、すべての入れ墨用針1がほぼ同じ長さになることで一本一本の入れ墨用針1の弾力性も均等になる。また、ロッド２の雌ねじ３に、手彫りハンドル５の雄ねじ４を連結固定することで、入れ墨用針１とロッド２を一体型にすることによって直接入れ墨用針１の金属部分を持たずに的確に手彫りハンドル５に装着できるため安全で衛生的かつ簡単に着脱ができる。
【００２１】
図４の実施の形態は、複数本の入れ墨用針１が複数並列に埋め込んだ針束であり、図５の実施の形態は、複数本の入れ墨用針１が丸状に埋め込んだ針束であり、図６の実施の形態は、複数本の入れ墨用針１がアーチ状に埋め込んだ針束であり、図７の実施の形態は、複数本の入れ墨用針１が千鳥状に埋め込んだ針束である。このように、複数本の入れ墨用針が、横１列、複数並列、丸状、アーチ状、千鳥状のいずれから選択して埋め込んだ針束であり、ロッド２に針を埋め込むことによって、入れ墨用針１の形状も自在になる。
【００２２】
この考案の入れ墨用針１の素材はステンレス製で針の太さは、図３のような横１列の直列で０．２５ミリ、図４、図５、図６のように針数が多くなる場合は、０．２０ミリが望ましい。針先１aは斜めほぼ４５度で埋め込み固定部2aとほぼ平行とし、入れ墨用針１とロッド２は使い捨てである。手彫りハンドル５は再度使用するため消毒がしやすく腐食等がない軽量なプラスチック素材が望ましい。また、滑ると危険なので手彫りハンドル５の指がかかる部分は滑り止めに凹凸をつけると良い。また、ロッド２は雌ねじ３、手彫りハンドル５は雄ねじ４で３回転くらいで装着できるくらいが望ましい。
【図面の簡単な説明】
【００２３】
【図１】この考案の手彫りハンドルと入れ墨針の側面図である。
【図２】この考案の手彫りハンドルに入れ墨針を装着したときの側面図である。
【図３】この考案の手彫りハンドルに入れ墨針を装着したときの正面と背面を示す図である。
【図４】この考案のロッドに並列に入れ墨用針を埋め込んだときの正面と側面を示す図である。
【図５】この考案のロッドに丸状に入れ墨用針を埋め込んだときの正面と側面を示す図である。
【図６】この考案のロッドにアーチ状に入れ墨用針を埋め込んだときの正面と側面を示す図である。
【図７】この考案のロッドに千鳥状に入れ墨用針を埋め込んだときの正面と側面を示す図である。
【符号の説明】
【００２４】
１    入れ墨用針
２    ロッド
３    雌ねじ
４    雄ねじ
５    ハンドル
【手続補正３】
【補正対象書類名】図面
【補正対象項目名】全図
【補正方法】変更
【補正の内容】
【図１】
0003128488.tif 000010
【図２】
0003128488.tif 000011
【図３】
0003128488.tif 000012
【図４】
0003128488.tif 000013
【図５】
0003128488.tif 000014
【図６】
0003128488.tif 000015
【図７】
0003128488.tif 000016